(57)【要約】  【課題】通信カラオケシステムにおいて、嗜好が近似する利用者を特定し、その歌唱履歴を参照することで、所定のカラオケ利用者に適切なリクエスト楽曲を効率的に推奨できる推奨楽曲選出方法の提供。  【解決手段】利用者毎の歌唱履歴を収集すると共に、歌唱頻度順に整理された利用者別順位リストを作成し、任意の利用者がカラオケシステムにログインした際、当該利用者の順位リストと他者の順位リストにおける所定順位以上の曲目同士を比較し、所定数以上の曲目の一致度がある他者の順位リストを対象に、所定割合以上の順位リスト間に共通する楽曲があれば抽出し、当該抽出された楽曲に基づく推奨楽曲リストを作成して適宜に提示させる。【選択図】図６
2006337405.tif 000002
【特許請求の範囲】
【請求項１】
カラオケホスト装置と多数のカラオケ演奏装置とが、通信ネットワークを介して接続されてなる通信カラオケシステムにおいて、以下の（１）〜（４）の工程を含む推奨楽曲選出方法。
（１）前記カラオケホスト装置にて、任意のカラオケ演奏装置から当該カラオケシステムにログインした利用者毎の歌唱履歴を収集すると共に、その歌唱履歴に基づき、利用者別にそれぞれ歌唱頻度順に整理された利用者別順位リストを作成し、
（２）任意の利用者が任意のカラオケ演奏装置から当該カラオケシステムにログインした際、当該利用者の前記順位リストと他者の前記順位リストにおける所定順位以上の曲目同士を比較し、
（３）当該曲目同士の比較により、所定数以上の曲目の一致度がある他者の順位リストを対象に、所定割合以上の順位リスト間に共通する楽曲があれば、これを抽出して当該カラオケ演奏装置に転送し、
（４）当該カラオケ演奏装置にて、前記抽出された楽曲に基づく推奨楽曲リストを作成して適宜に提示する。
【請求項２】
前記（３）において、所定割合以上の順位リスト間に共通する楽曲が、順位リスト間全てに共通する楽曲である請求項１記載の推奨楽曲選出方法。
【発明の詳細な説明】
【技術分野】
【０００１】
本発明は、通信カラオケシステムにおいて、所定のカラオケ利用者に適切なリクエスト楽曲を効率良く推奨するための技術に関する。
【背景技術】
【０００２】
一般に、通信カラオケシステムの利用者は、数人が互いに歌い手となったり、聴き手になったりしながら利用するが、特に、間断なくカラオケ演奏や歌唱が続く状況になってこそ十分に効率的な利用がなされていると言える。しかしながら、何時でもそのように効率的な利用がなされているわけではない。例えば、人数が少なかったりあまり積極的な人がいなかったりするグループなどでは、カラオケ演奏が一曲終わると次の演奏予約がなかなか入らず、演奏の空白時間が度々生じる場合もある。そのような場面では、適切な楽曲を推奨すれば、利用者にとっては曲を探す手間を省くことができる上、時間も有効に使えるので大変に便利である。
【０００３】
このような観点から、従来では、利用者に適切な楽曲を推奨する技術が想到された。例えば、特許文献１では、ある楽曲演奏の度に、全国的な利用者（顧客）の利用履歴の統計に基づき、その楽曲の次に演奏された頻度が高かった楽曲を抽出し、これを演奏候補として推薦する技術が開示されている。さらに、これには、利用者や楽曲の属性情報を加味して適切な楽曲を推奨する技術についても開示されている。
【０００４】
【特許文献１】特開平１１−５２９６５号公報
【発明の開示】
【発明が解決しようとする課題】
【０００５】
しかしながら、カラオケ店舗の所在する地域によって客層は大きく異なるので、上記技術によっても、必ずしも適切な楽曲を推薦できるとは限らない。また、利用者毎の楽曲の嗜好を判別して適切な楽曲を推奨するにも、上記技術のように、性別や年齢などの属性情報に基づき、その嗜好傾向に従えば、ある程度の適切な推奨はできるものの、個人の嗜好は必ずしも性別や年齢に基づくものではないのも事実である。むしろ、性別や年齢に拘わらず、嗜好する楽曲の共通項の多い者同士は大勢いるものである。したがって、利用者の属性情報からではなく、嗜好が近似する利用者を特定し、その歌唱履歴（利用者選曲の演奏履歴）を参照して楽曲を推奨すれば、より直接的で適切な楽曲を効率良く推奨できる。
【０００６】
そこで、本発明は、通信カラオケシステムにおいて、嗜好が近似する利用者を特定し、その歌唱履歴を参照することで、所定のカラオケ利用者に適切なリクエスト楽曲を効率的に推奨できる推奨楽曲選出方法の提供を課題とする。
【課題を解決するための手段】
【０００７】
上記課題を鑑み、本発明者らは、利用者毎の歌唱履歴を収集すると共に、歌唱頻度順に整理された利用者別順位リストを作成し、任意の利用者がカラオケシステムにログインした際、当該利用者の順位リストと他者の順位リストにおける所定順位以上の曲目同士を比較し、所定数以上の曲目の一致度がある他者の順位リストを対象に、所定割合以上の順位リスト間に共通する楽曲があれば抽出し、当該抽出された楽曲に基づく推奨楽曲リストを作成して適宜に提示する方法を採用することで、上記課題を解決できることを見出し、本発明の推奨楽曲選出方法を想到した。
【０００８】
すなわち、本発明の請求項１記載の推奨楽曲選出方法は、カラオケホスト装置と多数のカラオケ演奏装置とが、通信ネットワークを介して接続されてなる通信カラオケシステムにおいて、以下の（１）〜（４）の工程を含むことを特徴とする。
（１）前記カラオケホスト装置にて、任意のカラオケ演奏装置から当該カラオケシステムにログインした利用者毎の歌唱履歴を収集すると共に、その歌唱履歴に基づき、利用者別にそれぞれ歌唱頻度順に整理された利用者別順位リストを作成し、
（２）任意の利用者が任意のカラオケ演奏装置から当該カラオケシステムにログインした際、当該利用者の前記順位リストと他者の前記順位リストにおける所定順位以上の曲目同士を比較し、
（３）当該曲目同士の比較により、所定数以上の曲目の一致度がある他者の順位リストを対象に、所定割合以上の順位リスト間に共通する楽曲があれば、これを抽出して当該カラオケ演奏装置に転送し、
（４）当該カラオケ演奏装置にて、前記抽出された楽曲に基づく推奨楽曲リストを作成して適宜に提示する。
【０００９】
また、本発明の請求項２記載の推奨楽曲選出方法は、請求項１記載の推奨楽曲選出方法において、前記（３）において、所定割合以上の順位リスト間に共通する楽曲が、順位リスト間全てに共通する楽曲であることを特徴とする。
【発明の効果】
【００１０】
本発明の請求項１記載の推奨楽曲選出方法によれば、収集された利用者毎の歌唱履歴から、歌唱頻度順に整理して作成された利用者別順位リストに基づき、所定の利用者と他者の所定順位以上の曲目同士を比較することで嗜好が近似する利用者が特定でき、続いて、所定数以上の曲目の一致度がある他者の順位リストを対象に、所定割合以上の順位リスト間に共通する楽曲があれば、これを抽出して推奨楽曲リストを作成して適宜に提示することで、より直接的で適切な楽曲を効率良く推奨できるといった効果を奏する。
【００１１】
また、本発明の請求項２記載の推奨楽曲選出方法によれば、所定割合以上の順位リスト間に共通する楽曲が、順位リスト間全てに共通する楽曲、すなわち、所定割合を「１００％」とすることから、曲数は絞り込まれるものの、高い精度で所定の利用者の嗜好に合った楽曲を特定できるといった効果を奏する。
【発明を実施するための最良の形態】
【００１２】
以下、本発明の推奨楽曲選出方法につき、好適な実施例を挙げて説明するが、先ず、図１に示す、本発明に関わる通信カラオケシステムの概念的構成図と、図２に示す、本発明に関わるカラオケ演奏装置のブロック構成図と、図３に示す、リモコン装置の利用者ログイン指示用インタフェイス表示画面と、図４に示す、利用者別順位リストの概念的構成図に基づき、本発明に関わる通信カラオケシステムを含め、特に、請求項１記載の枕詞および工程（１）について詳述する。
【実施例１】
【００１３】
図１に示すように、本発明に関わる通信カラオケシステムは、主に、カラオケホスト装置（Ｈ）と通信ネットワークを介して接続された多数のカラオケ演奏装置（Ｐ，Ｐ…）からなる。具体的には、先ず、カラオケホスト装置（Ｈ）は、一般公衆電話回線やＡＤＳＬあるいは光通信回線などを利用した通信ネットワークを介して各カラオケ演奏装置（Ｐ，Ｐ…）に接続されている。そして、例えば、インターネット（Ｎｉ）を利用したカラオケ事業者が管理するＶＰＮ（Virtual Private Network）を用い、カラオケホスト装置（Ｈ）と各カラオケ演奏装置（Ｐ）がルータ（図示省略）を介して接続され、各ルータは、その内蔵するＤＨＣＰ（Dynamic Host Configuration Protocol）サーバ機能によって、各カラオケ演奏装置（Ｐ，Ｐ…）にＩＰアドレスを割り当て、それらのＭＡＣ（Media Access Control）アドレスとこのＩＰアドレスとを対応付けしたテーブルを作成して通信処理をしている。
【００１４】
カラオケホスト装置（Ｈ）の所定の記憶部には、多数の楽曲のカラオケデータを蓄積した楽曲情報データベースに加え、ネットワーク接続された何れのカラオケ演奏装置（Ｐ）からも、当該カラオケシステムにログインした利用者毎の歌唱履歴を収集できると共に、その歌唱履歴に基づき、後述するように、利用者別にそれぞれ歌唱頻度順に整理された利用者別順位リストを作成して記憶している。
【００１５】
このカラオケホスト装置（Ｈ）が任意のカラオケ演奏装置（Ｐ）から当該カラオケシステムにログインした利用者毎の歌唱履歴を収集するためには、本実施例では利用者ＩＤ取得手段を付帯したカラオケリモコン装置が利用される。なお、本実施例の利用者ＩＤ取得手段とは、具体的には、非接触のＩＣモジュールを搭載したＩＤカードの読み取り／書き込み装置であり、カードＩＤに紐付けされた利用者ＩＤを特定するものである。ただし、本発明はこれに限らず、例えば、ＩＣモジュールを携帯電話に内蔵させたＩＣ機能付き携帯電話や、近距離無線通信手段であるブルートゥース（blue tooth）機構を有する携帯電話、あるいは、パスワードの入力装置や指紋や声紋などの生体識別機能に依る機構の利用者ＩＤ取得手段を利用しても構わない。
【００１６】
カラオケ演奏装置（Ｐ）は一種のコンピュータ応用機器で、図２は、カラオケ演奏装置のハードウエア主体の構成例を示している。具体的には、中央制御手段（１）は、ＣＰＵ・ＲＡＭ・ＲＯＭなどを含んだコンピュータ本体で、各種機能手段を統括的に制御するものである。また、大容量の記憶手段としてＨＤＤ（２）とＣＤ−ＲＯＭやＤＶＤ−ＲＯＭを再生する光ディスク装置（５）、あるいは、上記ＶＰＮを介してカラオケホスト装置（Ｈ）と通信するための通信制御装置（４）や、利用者からの操作入力処理や利用者に向けての応答をする操作処理手段（３）や、ＭＩＤＩ形式の音楽演奏データに基づいて伴奏音楽の音響信号を生成する音楽生成手段（７）や、伴奏音楽やカラオケマイク（Ｍ）からの音響信号をミキシングし、さらに増幅してスピーカ（Ｓ）から放音するための音響装置（８）や、ＣＲＴやＬＣＤあるいはＰＤＰなどを用いたディスプレイ（Ｄ）や、このディスプレイ（Ｄ）に表示すべき映像データや画像データを処理するための映像処理手段（６）などを備えている。なお、操作処理手段（３）は、短距離無線通信手段（ＩｒＤＡ・赤外線ＬＥＤ・赤外線受光素子など）を備えたカラオケリモコン装置（Ｒ）に対応すると共に、装置本体の操作パネルにも対応するように構成されている。
【００１７】
図３には、そのリモコン装置の利用者別ログイン指示用インタフェイス表示画面が示されている。本実施例のリモコン装置の正面には、タッチセンサを積層した液晶ディスプレイを主体とした利用者インタフェイス（Ｒ１）が備えられ、ＧＵＩ（Graphical User Interface）環境を提供し、このＧＵＩ環境による対話を通じて利用者毎のログイン指示の他に、楽曲索引データベースを検索し、その結果を表示出力させることで検索機能を実現している。この表示画面には、利用者別顔写真付きボタン列やカラオケシステムへのログインをするための「ログイン」ボタン、あるいは、ログアウトをするための「ログアウト」ボタンなどが設けられている。その操作法に従えば、先ず、「ログイン」ボタンを選択した後、利用者ＩＤ取得手段に自らのＩＤカードを装填することにより、これに紐付けされた利用者ＩＤが取得されると同時にシステムへのログインが特定される。
【００１８】
ログインが特定されると、カラオケホスト装置に予め登録された利用者の顔写真あるいは予め登録されていない場合、デジタルカメラ機能を使って撮影した利用者の顔写真を新たに登録して、順次、所定の利用者別顔写真付きボタンが利用者毎に掲載された利用者識別用インタフェイスが作成される。したがって、この利用者別顔写真付きボタンを選択した前あるいは後にて、任意の利用者が楽曲を予約登録して、楽曲演奏が行われると、所定のタイミングにて利用者毎の歌唱履歴が収集されると共に、その歌唱履歴に基づき、カラオケホスト装置では、利用者別にそれぞれ歌唱頻度順に整理された利用者別順位リストが作成される。
【００１９】
図４は、この利用者別順位リストの概念的構成図である。この順位リストは、具体的には、利用者（例えば、「利用者ａ」）を特定するための利用者ＩＤが紐付けされ、予め設定された期間内（例えば、過去１年：なお、全体に同一または利用者毎の設定でも良い）にて、当該利用者が歌唱した楽曲ＩＤと、それぞれの楽曲の歌唱頻度が記録され、その歌唱頻度順に順位が付されて整理されている。
【００２０】
以下、図５に示す、推奨楽曲リスト作成までのプロセス説明図と、図６に示す、本発明の推奨楽曲選出方法のフロー概念図に基づき、請求項１記載の工程（２）〜（４）および請求項２記載の工程（３）について詳述する。
【００２１】
先ず、任意の利用者が任意のカラオケ演奏装置から当該カラオケシステムにログインした際、当該利用者の順位リストと他者の順位リストにおける所定順位以上の曲目同士が比較される。例えば、利用者ａがログインすると、図５に示すように、利用者ａと他者の各利用者別順位リストにおいて「１０位以内」の曲目を比較し、予め設定された「５曲以上」の一致があるもの、すなわち、「１０位以内で５０％以上の一致度」がある利用者別順位リストを検索し、これらを利用者ａと嗜好が近似する利用者の順位リストとして評価し、さらなる「共通楽曲」の絞り込みの対象とする。なお、この「１０位以内で５０％以上の一致度」は設計事項なので、効率的な検索が可能であり、かつ、嗜好の近似性の判別が可能と思慮できる範囲であれば、如何なる設定であっても構わない。
【００２２】
本実施例では、利用者ａの利用者別順位リストに対応した利用者ｂ〜ｆの５名分の利用者別順位リストが対象となり、所定割合以上の順位リスト間に共通する楽曲があれば、これを抽出して当該カラオケ演奏装置に転送する。例えば、「８０％以上」の順位リスト間で一致した「共通楽曲」があれば、具体的には、本実施例では、利用者ｂ〜ｆの全５名分の内、利用者ｂを除く利用者ｃ〜ｆの４名分の割合で一致した「共通楽曲」があれば、これを抽出して、利用者ａがログインしているカラオケ演奏装置に転送し、当該カラオケ演奏装置では、その抽出された楽曲に基づく推奨楽曲リストを作成して適宜に提示する。
【００２３】
なお、上記実施例でも、別の利用者間で同じ条件を満たす場合も考えられるが、この場合でも、勿論、「共通楽曲」として抽出される。また、所定割合以上の順位リスト間に共通する楽曲を、順位リスト間全てに共通する楽曲と設定し、例えば、上記実施例で利用者ａの利用者別順位リストに対応し、嗜好が近似する利用者ｂ〜ｆの利用者別順位リスト全てに共通する楽曲があれば、すなわち、所定割合を「１００％」とするものがあれば、高い精度で利用者ａの嗜好に合った楽曲を特定できる。
【００２４】
次に、図６に基づき、本発明の推薦楽曲選出方法のフローについて説明する。先ず、任意の利用者が任意のカラオケ演奏装置から当該カラオケシステムにログインすると（ステップ：Ｓ１）、その利用者が歌唱した（Ｓ２）場合、所定のタイミングにて、その歌唱履歴データがカラオケホスト装置にアップロードされて、利用者毎の歌唱履歴が収集される（Ｓ３）と共に、その歌唱履歴に基づき、利用者別にそれぞれ歌唱頻度順に整理された利用者別順位リストが作成される（Ｓ４）。
【００２５】
一方、カラオケ演奏装置にて任意の利用者がログインすると（Ｓ１）、その利用者の順位リストがある場合、これと他者の順位リストにおける所定順位以上の曲目同士が比較される（Ｓ５）。当該曲目同士の比較により、所定数以上の曲目の一致度がある他者の順位リストが検索され（Ｓ６）、この検索された順位リストを対象に、さらに、所定割合以上の順位リスト間に共通する楽曲が検索され（Ｓ７）、条件を満たす共通楽曲の有無が判断される（Ｓ８）。ある場合には、これを抽出して当該カラオケ演奏装置に転送し（Ｓ９）、ない場合には、この作業は終了する。そして、共通楽曲データが当該カラオケ演奏装置に転送されると、抽出された楽曲に基づく推奨楽曲リストが作成され（Ｓ１０）、楽曲演奏間や楽曲予約が無い場合など、適宜なタイミングで提示する（Ｓ１１）。
【００２６】
以上、詳述したように、本発明の推奨楽曲選出方法によれば、推奨楽曲選出方法によれば、収集された利用者毎の歌唱履歴から、歌唱頻度順に整理して作成された利用者別順位リストに基づき、所定の利用者と他者の所定順位以上の曲目同士を比較することで嗜好が近似する利用者が特定でき、続いて、所定数以上の曲目の一致度がある他者の順位リストを対象に、所定割合以上の順位リスト間に共通する楽曲があれば、これを抽出して推奨楽曲リストを作成して適宜に提示することで、より直接的で適切な楽曲を効率良く推奨できる。
【図面の簡単な説明】
【００２７】
【図１】本発明に関わる通信カラオケシステムの概念的構成図。
【図２】本発明に関わるカラオケ演奏装置のブロック構成図。
【図３】リモコン装置の利用者ログイン指示用インタフェイス表示画面。
【図４】利用者別順位リストの概念的構成図。
【図５】推奨楽曲リスト作成までのプロセス説明図。
【図６】本発明の推奨楽曲選出方法のフロー概念図。
【符号の説明】
【００２８】
Ｈ  カラオケホスト装置
Ｐ  カラオケ演奏装置
Ｒ  カラオケリモコン装置
【図１】
2006337405.tif 000003
【図２】
2006337405.tif 000004
【図３】
2006337405.tif 000005
【図４】
2006337405.tif 000006
【図５】
2006337405.tif 000007
【図６】
2006337405.tif 000008